(57)【要約】【課題】骨塩情報取得装置、方法およびプログラムにおいて、既存の設備を使用して骨塩情報を取得できるようにする。【解決手段】体厚推定部３２が、各々が一次線成分および散乱線成分を含む第１および第２の放射線画像Ｇ１，Ｇ２のうちの少なくとも１つの画像に基づいて、少なくとも１つの画像の画素毎に被写体の体厚を推定する。骨部画素値取得部３３が、第１および第２の放射線画像Ｇ１，Ｇ２から、被写体Ｈの骨部領域の画素値を取得する。情報取得部３４が、第１および第２の放射線画像Ｇ１，Ｇ２の少なくとも１つの画像を取得した際の撮影条件、画素毎の体厚および骨部領域の画素値に基づいて、骨部領域の画素毎に骨部領域における骨塩量を表す骨塩情報を取得する。【選択図】図２
2019202035.tif 000002
【特許請求の範囲】
【請求項１】
骨部および軟部を含む被写体を透過したそれぞれエネルギー分布が互いに異なる放射線により取得された、各々が一次線成分および散乱線成分を含む第１および第２の放射線画像のうちの少なくとも１つの画像に基づいて、前記少なくとも１つの画像の画素毎に前記被写体の体厚を推定する体厚推定部と、
前記第１および第２の放射線画像から、前記被写体の骨部領域の画素値を取得する骨部画素値取得部と、
前記少なくとも１つの画像を取得した際の撮影条件、前記画素毎の体厚および前記骨部領域の画素値に基づいて、前記骨部領域の画素毎に該骨部領域における骨塩量を表す骨塩情報を取得する情報取得部とを備えた骨塩情報取得装置。
【請求項２】
前記第１および第２の放射線画像は、前記被写体を透過した放射線を、重ねられた２つの検出部に照射することにより取得される請求項１に記載の骨塩情報取得装置。
【請求項３】
前記第１および第２の放射線画像は、被写体を透過したそれぞれエネルギー分布が互いに異なる放射線を、１つの検出部に交互に照射することにより取得される請求項１に記載の骨塩情報取得装置。
【請求項４】
前記情報取得部は、前記骨部領域の画素値を、基準撮影条件に基づいて取得される骨部領域の画素値に変換することにより、前記骨塩情報を取得する請求項１から３のいずれか１項に記載の骨塩情報取得装置。
【請求項５】
前記基準撮影条件は、前記第１および第２の放射線画像を取得する際に、放射線源に印加される管電圧である請求項４に記載の骨塩情報取得装置。
【請求項６】
前記情報取得部は、前記基準撮影条件、前記体厚に応じたビームハードニング、および撮影時における散乱線除去グリッドの有無の少なくとも１つの情報に応じた補正係数に基づいて、前記骨部領域の画素値を変換することにより前記骨塩情報を取得する請求項４または５に記載の骨塩情報取得装置。
【請求項７】
前記骨塩情報に関連する関連情報を表示部に表示する表示制御部をさらに備えた請求項１から６のいずれか１項に記載の骨塩情報取得装置。
【請求項８】
前記表示制御部は、前記第１および第２の放射線画像から取得された、前記被写体の軟部領域を表す軟部画像、前記被写体の骨部領域を表す骨部画像、前記第１の放射線画像または前記第２の放射線画像に前記骨塩情報を重畳した合成画像を、前記関連情報として前記表示部に表示する請求項７に記載の骨塩情報取得装置。
【請求項９】
前記表示制御部は、前記骨塩情報から算出された骨強度を、前記関連情報として前記表示部に表示する請求項７または８に記載の骨塩情報取得装置。
【請求項１０】
前記表示制御部は、前記被写体が複数の骨を含む場合、骨毎に取得された前記関連情報を前記表示部に表示する請求項７から９のいずれか１項に記載の骨塩情報取得装置。
【請求項１１】
前記表示制御部は、前記骨部領域内の部分領域についての前記関連情報を前記表示部に表示する請求項７から１０のいずれか１項に記載の骨塩情報取得装置。
【請求項１２】
前記部分領域は、前記骨部領域における海綿骨の領域である請求項１１に記載の骨塩情報取得装置。
【請求項１３】
前記表示制御部は、前記被写体が複数の骨を含む場合、骨間における前記骨塩情報の比較結果を、前記関連情報として前記表示部に表示する請求項７から１２のいずれか１項に記載の骨塩情報取得装置。
【請求項１４】
前記表示制御部は、前記骨部領域内の部分領域間における前記骨塩情報の比較結果を、前記関連情報として前記表示部に表示する請求項７から１３のいずれか１項に記載の骨塩情報取得装置。
【請求項１５】
前記表示制御部は、同一被検体に関して取得日時が異なる過去の骨塩情報と前記骨塩情報との比較結果を、前記関連情報として前記表示部に表示する請求項７から１４のいずれか１項に記載の骨塩情報取得装置。
【請求項１６】
前記表示制御部は、前記骨部領域が椎骨領域である場合、脊柱のアライメントおよび前記骨塩情報から生成された骨折リスクを表す情報を、前記関連情報として前記表示部に表示する請求項７から１５のいずれか１項に記載の骨塩情報取得装置。
【請求項１７】
前記関連情報を生成する関連情報生成部をさらに備えた請求項７から１６のいずれか１項に記載の骨塩情報取得装置。
【請求項１８】
骨部および軟部を含む被写体を透過したそれぞれエネルギー分布が互いに異なる放射線により取得された、各々が一次線成分および散乱線成分を含む第１および第２の放射線画像のうちの少なくとも１つの画像に基づいて、前記少なくとも１つの画像の画素毎に前記被写体の体厚を推定し、
前記第１および第２の放射線画像から、前記被写体の骨部領域の画素値を取得し、
前記少なくとも１つの画像を取得した際の撮影条件、前記画素毎の体厚および前記骨部領域の画素値に基づいて、前記骨部領域の画素毎に該骨部領域における骨塩量を表す骨塩情報を取得する骨塩情報取得方法。
【請求項１９】
骨部および軟部を含む被写体を透過したそれぞれエネルギー分布が互いに異なる放射線により取得された、各々が一次線成分および散乱線成分を含む第１および第２の放射線画像のうちの少なくとも１つの画像に基づいて、前記少なくとも１つの画像の画素毎に前記被写体の体厚を推定する手順と、
前記第１および第２の放射線画像から、前記被写体の骨部領域の画素値を取得する手順と、
前記少なくとも１つの画像を取得した際の撮影条件、前記画素毎の体厚および前記骨部領域の画素値に基づいて、前記骨部領域の画素毎に該骨部領域における骨塩量を表す骨塩情報を取得する手順とをコンピュータに実行させる骨塩情報取得プログラム。
【発明の詳細な説明】
【技術分野】
【０００１】
本開示は、骨を含む放射線画像を用いて骨塩情報を取得する骨塩情報取得装置、方法およびプログラムに関する。
【背景技術】
【０００２】
骨粗鬆症等の骨系疾患において、骨密度の診断に用いられる代表的な骨塩定量方法の一つにＤＸＡ法（Dual X-ray Absorptiometry）が知られている。ＤＸＡ法は、人体に入射し透過する放射線が、人体を構成する物質（例えば骨）に依存する質量減弱係数μ（ｃｍ2／ｇ）とその密度ρ(ｇ／ｃｍ3)および厚さｔ(ｃｍ)によって特徴づけされる減弱を受けることを利用し、２種類のエネルギーの放射線で撮影して得られた放射線画像のピクセル値から、骨塩量を算出する手法である。
【０００３】
また、照射された放射線に応じた電荷を蓄積する複数の画素を含む放射線検出器を２つ備え、これらの２つの放射線検出器が積層されて配置された放射線画像撮影装置が知られている。また、この種の放射線画像撮影装置において、各放射線検出器に照射された放射線の線量に応じた電気信号の各々を用いて、被写体の骨塩量を測定する技術が知られている（特許文献１参照）。
【先行技術文献】
【特許文献】
【０００４】
【特許文献１】特開２０１８−１５４５３号公報
【発明の概要】
【発明が解決しようとする課題】
【０００５】
ところで、放射線画像を取得する際には、被写体内において放射線が散乱することにより散乱線が発生するが、ＤＸＡ法においては、散乱線の影響が低減されるように放射線を被写体に照射している。ＤＸＡ法により骨塩情報を取得するためには、上記のように放射線を被写体に照射するための専用の装置が必要となることから、既存の設備を使用することができない。また、ＤＸＡ法は、個々の骨についての骨塩量を算出するものであるため、骨の部分毎に骨塩情報を評価することができない。
【０００６】
本開示は、上記事情に鑑みなされたものであり、既存の設備を使用して骨塩情報を取得できるようにすることを目的とする。
【課題を解決するための手段】
【０００７】
本開示による骨塩情報取得装置は、骨部および軟部を含む被写体を透過したそれぞれエネルギー分布が互いに異なる放射線により取得された、各々が一次線成分および散乱線成分を含む第１および第２の放射線画像のうちの少なくとも１つの画像に基づいて、少なくとも１つの画像の画素毎に被写体の体厚を推定する体厚推定部と、
第１および第２の放射線画像から、被写体の骨部領域の画素値を取得する骨部画素値取得部と、
少なくとも１つの画像を取得した際の撮影条件、画素毎の体厚および骨部領域の画素値に基づいて、骨部領域の画素毎に骨部領域における骨塩量を表す骨塩情報を取得する情報取得部とを備える。
【０００８】
なお、本開示による骨塩情報取得装置においては、第１および第２の放射線画像は、被写体を透過した放射線を、重ねられた２つの検出部に照射することにより取得されるものであってもよい。
【０００９】
また、本開示による骨塩情報取得装置においては、第１および第２の放射線画像は、被写体を透過したそれぞれエネルギー分布が互いに異なる放射線を、１つの検出部に交互に照射することにより取得されるものであってもよい。
【００１０】
また、本開示による骨塩情報取得装置においては、情報取得部は、骨部領域の画素値を、基準撮影条件に基づいて取得される骨部領域の画素値に変換することにより、骨塩情報を取得するものであってもよい。
【００１１】
また、本開示による骨塩情報取得装置においては、基準撮影条件は、第１および第２の放射線画像を取得する際に、放射線源に印加される管電圧であってもよい。
【００１２】
また、本開示による骨塩情報取得装置においては、情報取得部は、基準撮影条件、体厚に応じたビームハードニング、および撮影時における散乱線除去グリッドの有無の少なくとも１つの情報に応じた補正係数に基づいて、骨部領域の画素値を変換することにより骨塩情報を取得するものであってもよい。
【００１３】
また、本開示による骨塩情報取得装置においては、骨塩情報に関連する関連情報を表示部に表示する表示制御部をさらに備えるものであってもよい。
【００１４】
骨塩情報に関連する関連情報は、骨塩情報から算出される新たな情報、および骨塩情報と他の情報とから算出される新たな情報を含む。また、関連情報は骨塩情報そのものであってもよい。
【００１５】
また、本開示による骨塩情報取得装置においては、表示制御部は、第１および第２の放射線画像から取得された、被写体の軟部領域を表す軟部画像、被写体の骨部領域を表す骨部画像、第１の放射線画像または第２の放射線画像に骨塩情報を重畳した合成画像を、関連情報として表示部に表示するものであってもよい。
【００１６】
また、本開示による骨塩情報取得装置においては、表示制御部は、骨塩情報から算出された骨強度を、関連情報として表示部に表示するものであってもよい。
【００１７】
また、本開示による骨塩情報取得装置においては、表示制御部は、被写体が複数の骨を含む場合、骨毎に取得された関連情報を表示部に表示するものであってもよい。
【００１８】
また、本開示による骨塩情報取得装置においては、表示制御部は、骨部領域内の部分領域についての関連情報を表示部に表示するものであってもよい。
【００１９】
また、本開示による骨塩情報取得装置においては、部分領域は、骨部領域における海綿骨の領域であってもよい。
【００２０】
また、本開示による骨塩情報取得装置においては、表示制御部は、被写体が複数の骨を含む場合、骨間における骨塩情報の比較結果を、関連情報として表示部に表示するものであってもよい。
【００２１】
また、本開示による骨塩情報取得装置においては、表示制御部は、骨部領域内の部分領域間における骨塩情報の比較結果を、関連情報として表示部に表示するものであってもよい。
【００２２】
また、本開示による骨塩情報取得装置においては、表示制御部は、同一被検体に関して取得日時が異なる過去の骨塩情報と骨塩情報との比較結果を、関連情報として表示部に表示するものであってもよい。
【００２３】
また、本開示による骨塩情報取得装置においては、表示制御部は、骨部領域が椎骨領域である場合、脊柱のアライメントおよび骨塩情報から生成された骨折リスクを表す情報を、関連情報として表示部に表示するものであってもよい。
【００２４】
また、本開示による骨塩情報取得装置においては、関連情報を生成する関連情報生成部をさらに備えるものであってもよい。
【００２５】
本開示による骨塩情報取得方法は、骨部および軟部を含む被写体を透過したそれぞれエネルギー分布が互いに異なる放射線により取得された、各々が一次線成分および散乱線成分を含む第１および第２の放射線画像のうちの少なくとも１つの画像に基づいて、少なくとも１つの画像の画素毎に被写体の体厚を推定し、
第１および第２の放射線画像から、被写体の骨部領域の画素値を取得し、
少なくとも１つの画像を取得した際の撮影条件、画素毎の体厚および骨部領域の画素値に基づいて、骨部領域の画素毎に骨部領域における骨塩量を表す骨塩情報を取得する。
【００２６】
なお、本開示による画像処理方法をコンピュータに実行させるためのプログラムとして提供してもよい。
【００２７】
本開示による他の骨塩情報取得装置は、コンピュータに実行させるための命令を記憶するメモリと、
記憶された命令を実行するよう構成されたプロセッサとを備え、プロセッサは、
骨部および軟部を含む被写体を透過したそれぞれエネルギー分布が互いに異なる放射線により取得された、各々が一次線成分および散乱線成分を含む第１および第２の放射線画像のうちの少なくとも１つの画像に基づいて、少なくとも１つの画像の画素毎に被写体の体厚を推定し、
第１および第２の放射線画像から、被写体の骨部領域の画素値を取得し、
少なくとも１つの画像を取得した際の撮影条件、画素毎の体厚および骨部領域の画素値に基づいて、骨部領域の画素毎に骨部領域における骨塩量を表す骨塩情報を取得する処理を実行する。
【発明の効果】
【００２８】
本開示によれば、第１および第２の放射線画像のうちの少なくとも１つの画像の画素毎に、被写体の体厚が推定され、第１および第２の放射線画像から、被写体の骨部領域の画素値が取得される。そして、第１および第２の放射線画像のうちの少なくとも１つの画像を取得した際の撮影条件、画素毎の体厚および骨部領域の画素値に基づいて、骨部領域の画素毎に骨部領域における骨塩量を表す骨塩情報が取得される。このため、ＤＸＡ法のように専用の装置を使用しなくても、骨塩情報を取得することができる。また、骨部領域の画素毎に骨塩情報が取得されるため、骨の部分毎に骨塩情報を評価することができる。
【図面の簡単な説明】
【００２９】
【図１】本開示の実施形態による骨塩情報取得装置を適用した放射線画像撮影システムの構成を示す概略ブロック図
【図２】本実施形態による骨塩情報取得装置の概略構成を示す図
【図３】体厚推定部の構成を示す概略ブロック図
【図４】骨部画像を示す図
【図５】体厚に対する骨部と軟部とのコントラストの関係を示す図
【図６】補正係数を取得するためのルックアップテーブルを示す図
【図７】軟部画像を示す図
【図８】表示部に表示された関連情報を示す図
【図９】本実施形態において行われる処理を示すフローチャート
【図１０】表示部に表示された骨塩情報を示す図
【図１１】表示部に表示された骨強度を示す図
【図１２】表示部に表示された骨塩情報の統計値を示す図
【図１３】表示部に表示された骨塩情報の統計値を示す図
【図１４】表示部に表示された骨部領域内の部分領域の骨塩情報の統計値を示す図
【図１５】表示部に表示された部分領域の骨塩情報の統計値を示す図
【図１６】表示部に表示された部分領域の骨塩情報の統計値を示す図
【図１７】表示部に表示された部分領域の骨塩情報の統計値を示す図
【図１８】表示部に表示された骨間の統計値の比較結果を示す図
【図１９】表示部に表示された部分領域間の統計値の比較結果を示す図
【図２０】表示部に表示された骨塩情報の比較結果を示す図
【図２１】表示部に表示された骨折リスクを示す図
【発明を実施するための形態】
【００３０】
以下、図面を参照して本開示の実施形態について説明する。図１は本開示の実施形態による骨塩情報取得装置を適用した放射線画像撮影システムの構成を示す概略ブロック図である。図１に示すように、本実施形態による放射線画像撮影システムは、エネルギー分布が異なる２つの放射線画像を撮影し、２つの放射線画像を用いて骨塩情報を取得するためのものであり、撮影装置１と、本実施形態による骨塩情報取得装置を内包するコンピュータ２とを備える。
【００３１】
撮影装置１は、第１の放射線検出器５および第２の放射線検出器６に、放射線源であるＸ線源３から発せられ、被写体Ｈを透過したＸ線を、それぞれエネルギーを変えて照射するいわゆる１ショットエネルギーサブトラクションを行うための撮影装置である。撮影時においては、図１に示すように、Ｘ線源３に近い側から順に、第１の放射線検出器５、銅板等からなるＸ線エネルギー変換フィルタ７、および第２の放射線検出器６を配置して、Ｘ線源３を駆動させる。なお、第１および第２の放射線検出器５，６とＸ線エネルギー変換フィルタ７とは密着されている。
【００３２】
これにより、第１の放射線検出器５においては、いわゆる軟線も含む低エネルギーのＸ線による被写体Ｈの第１の放射線画像Ｇ１が取得される。また、第２の放射線検出器６においては、軟線が除かれた高エネルギーのＸ線による被写体Ｈの第２の放射線画像Ｇ２が取得される。第１および第２の放射線画像は、骨塩情報取得装置であるコンピュータ２に入力される。なお、本実施形態においては、被写体Ｈの撮影時には、被写体Ｈを透過したＸ線の散乱線成分を除去する散乱線除去グリッドは使用されない。このため、第１の放射線画像Ｇ１および第２の放射線画像Ｇ１には、被写体Ｈを透過したＸ線の一次線成分および散乱線成分が含まれる。
【００３３】
第１および第２の放射線検出器５，６は、放射線画像の記録および読み出しを繰り返して行うことができるものであり、放射線の照射を直接受けて電荷を発生する、いわゆる直接型の放射線検出器を用いてもよいし、放射線を一旦可視光に変換し、その可視光を電荷信号に変換する、いわゆる間接型の放射線検出器を用いるようにしてもよい。また、放射線画像信号の読出方式としては、ＴＦＴ（thin film transistor）スイッチをオン・オフさせることによって放射線画像信号が読み出される、いわゆるＴＦＴ読出方式のもの、または読取り光を照射することによって放射線画像信号が読み出される、いわゆる光読出方式のものを用いることが望ましいが、これに限らずその他のものを用いるようにしてもよい。
【００３４】
コンピュータ２には表示部８および入力部９が接続されている。表示部８は、ＣＲＴ（Cathode Ray Tube）あるいは液晶ディスプレイ等からなり、撮影により取得された放射線画像およびコンピュータ２において行われる処理に必要な各種入力の補助を行う。入力部９は、キーボード、マウスあるいはタッチパネル等からなる。
【００３５】
コンピュータ２には、本実施形態の骨塩情報取得プログラムがインストールされている。本実施形態においては、コンピュータは、操作者が直接操作するワークステーションあるいはパソコンでもよいし、それらとネットワークを介して接続されたサーバコンピュータでもよい。骨塩情報取得プログラムは、ＤＶＤ（Digital Versatile Disc）、ＣＤ−ＲＯＭ（Compact Disc Read Only Memory）等の記録媒体に記録されて配布され、その記録媒体からコンピュータにインストールされる。もしくは、ネットワークに接続されたサーバコンピュータの記憶装置、あるいはネットワークストレージに、外部からアクセス可能な状態で記憶され、要求に応じてコンピュータにダウンロードされ、インストールされる。
【００３６】
図２は、本実施形態において、コンピュータ２に骨塩情報取得プログラムをインストールすることにより実現された骨塩情報取得装置の概略構成を示す図である。図２に示すように、骨塩情報取得装置は、標準的なコンピュータの構成として、ＣＰＵ(Central Processing Unit)２１、メモリ２２およびストレージ２３を備えている。
【００３７】
ストレージ２３は、ハードディスクまたはＳＳＤ（Solid State Drive）等のストレージデバイスからなり、撮影装置１の各部を駆動するためのプログラムおよび骨塩情報取得プログラムを含む各種情報が記憶されている。また、撮影により取得された放射線画像も記憶される。
【００３８】
メモリ２２には、各種処理をＣＰＵ２１に実行させるために、ストレージ２３に記憶されたプログラム等が一時的に記憶される。骨塩情報取得プログラムは、ＣＰＵ２１に実行させる処理として、撮影装置１に撮影を行わせてエネルギー分布が互いに異なる、各々が一次線成分および散乱線成分を含む第１および第２の放射線画像Ｇ１，Ｇ２を取得する画像取得処理、第１および第２の放射線画像Ｇ１，Ｇ２のうちの少なくとも１つの画像に基づいて、第１および第２の放射線画像Ｇ１，Ｇ２のうちの少なくとも１つの画像の画素毎に被写体Ｈの体厚を推定する体厚推定処理、第１および第２の放射線画像Ｇ１，Ｇ２から、被写体Ｈの骨部領域の画素値を取得する骨部画素値取得処理、第１および第２の放射線画像Ｇ１，Ｇ２のうちの少なくとも１つの画像を取得した際の撮影条件、画素毎の体厚および骨部領域の画素値に基づいて、骨部領域の画素毎に骨部領域における骨塩量を表す骨塩情報を取得する情報取得処理、骨塩情報に関連する関連情報を生成する関連情報生成処理、および関連情報を表示部に表示する表示制御処理を規定する。
【００３９】
そして、ＣＰＵ２１が骨塩情報取得プログラムに従いこれらの処理を実行することで、コンピュータ２は、画像取得部３１、体厚推定部３２、骨部画素値取得部３３、情報取得部３４、関連情報生成部３５、および表示制御部３６として機能する。なお、本実施形態においては、ＣＰＵ１１が骨塩情報取得プログラムによって、各部の機能を実行するようにしたが、ソフトウェアを実行して各種の処理部として機能する汎用的なプロセッサとしては、ＣＰＵ２１の他、ＦＰＧＡ (Field Programmable Gate Array)等の製造後に回路構成を変更可能なプロセッサであるプログラマブルロジックデバイス（Programmable Logic Device:ＰＬＤ）を用いることができる。また、ＡＳＩＣ（Application Specific Integrated Circuit）等の特定の処理を実行させるために専用に設計された回路構成を有するプロセッサである専用電気回路等により、各部の処理を実行するようにしてもよい。
【００４０】
１つの処理部は、これら各種のプロセッサのうちの１つで構成されてもよいし、同種または異種の２つ以上のプロセッサの組み合わせ（例えば、複数のＦＰＧＡ、またはＣＰＵとＦＰＧＡの組み合わせ等）で構成されてもよい。また、複数の処理部を１つのプロセッサで構成してもよい。複数の処理部を１つのプロセッサで構成する例としては、第１に、クライアントおよびサーバ等のコンピュータに代表されるように、１つ以上のＣＰＵとソフトウェアとの組み合わせで１つのプロセッサを構成し、このプロセッサが複数の処理部として機能する形態がある。第２に、システムオンチップ（System On Chip:ＳｏＣ）等に代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【００４１】
さらに、これらの各種のプロセッサのハードウェア的な構造は、より具体的には、半導体素子等の回路素子を組み合わせた電気回路（circuitry）である。
【００４２】
画像取得部３１は、Ｘ線源３を駆動して被写体ＨにＸ線を照射し、被写体Ｈを透過したＸ線を第１および第２の放射線検出器５，６により検出して、第１および第２の放射線画像Ｇ１，Ｇ２を取得する。この際、撮影線量、管電圧およびＳＩＤ等の撮影条件が設定される。撮影条件は、操作者による入力部９からの入力により設定すればよい。設定された撮影条件は、ストレージ２３に保存される。なお、骨塩情報取得プログラムとは別個のプログラムにより第１および第２の放射線画像Ｇ１，Ｇ２を取得してストレージ２３に保存するようにしてもよい。この場合、画像取得部３１は、ストレージ２３に保存された第１および第２の放射線画像Ｇ１，Ｇ２を処理のためにストレージ２３から読み出すものとなる。なお、本実施形態においては、被写体Ｈの胸部から腹部を撮影して、胸部から腹部についての第１および第２の放射線画像Ｇ１，Ｇ２を取得するものとする。
【００４３】
体厚推定部３２は、第１および第２の放射線画像Ｇ１，Ｇ２の少なくとも１つの画像に基づいて、第１および第２の放射線画像Ｇ１，Ｇ２の画素毎に被写体Ｈの体厚を推定する。体厚は第１および第２の放射線画像Ｇ１，Ｇ２の画素毎に推定されることから、体厚推定部３２は、第１および第２の放射線画像Ｇ１，Ｇ２の少なくとも１つの画像における体厚分布を推定することとなる。体厚の推定に際し、体厚推定部３２は、被写体Ｈに近い側の放射線検出器５により取得された第１の放射線画像Ｇ１を用いる。しかしながら、第２の放射線画像Ｇ２を用いてもよい。また、第１の放射線画像Ｇ１および第２の放射線画像Ｇ２に対して、相対応する画素間で重み付け減算を行うことにより、各放射線画像Ｇ１，Ｇ２に含まれる被写体Ｈの軟部のみが抽出された軟部画像を生成し、軟部画像を用いて被写体Ｈの体厚を推定してもよい。また、いずれの画像を用いる場合であっても、画像の低周波成分を表す低周波画像を生成し、低周波画像を用いて体厚を推定してもよい。
【００４４】
本実施形態においては、体厚推定部３２は、例えば特開２０１５−０４３９５９号公報に記載された手法を用いて、被写体Ｈの体厚を推定する。図３は体厚推定部３２の構成を示す概略ブロック図である。図３に示すように、体厚推定部３２は、仮想モデル取得部４１、推定画像生成部４２、修正部４３および体厚分布決定部４４を備える。
【００４５】
仮想モデル取得部４１は、初期体厚分布Ｔ０（ｘ，ｙ）を有する被写体Ｈの仮想モデルＫを取得する。なお、本実施形態においては、ストレージ２３に、初期体厚分布Ｔ０（ｘ，ｙ）を有する被写体Ｈの仮想モデルＫが記憶される。仮想モデルＫは、初期体厚分布Ｔ０（ｘ，ｙ）に従った体厚がｘｙ平面上の各位置に対応付けられた被写体Ｈを仮想的に表すデータである。
【００４６】
推定画像生成部４２は、仮想モデルＫに基づいて、仮想モデルＫの撮影により得られる一次線画像を推定した推定一次線画像と、仮想モデルＫの撮影により得られる散乱線画像を推定した推定散乱線画像とを合成した画像を、被写体Ｈの撮影により得られた第１の放射線画像Ｇ１を推定した推定画像として生成する。
【００４７】
修正部４３は、推定画像と第１の放射線画像Ｇ１とに基づいて、推定画像と第１の放射線画像Ｇ１との違いが小さくなるように仮想モデルＫの初期体厚分布Ｔ０を修正する。
【００４８】
推定画像生成部４２および修正部４３は、推定画像と第１の放射線画像Ｇ１との違いが予め定められた終了条件を満たすまで推定画像の生成および体厚分布の修正を繰り返し行う。
【００４９】
体厚分布決定部４４は、終了条件を満たした際の体厚分布を第１の放射線画像Ｇ１の体厚分布、すなわち画素毎の体厚Ｔ（ｘ，ｙ）に決定する。
【００５０】
骨部画素値取得部３３は、第１および第２の放射線画像Ｇ１，Ｇ２から、被写体Ｈの骨部領域の画素値を取得する。具体的には、骨部画素値取得部３３は、第１の放射線画像Ｇ１および第２の放射線画像Ｇ２に対して、例えば下記の式(１)に示すように、相対応する画素間で重み付け減算を行うことにより、各放射線画像Ｇ１，Ｇ２に含まれる被写体Ｈの骨部のみが抽出された骨部画像Ｇｂを生成する。式（１）において、μは重み付け係数である。図４は骨部画像Ｇｂを示す図である。なお、骨部画像Ｇｂにおける骨部領域内の各画素の画素値が骨部画素値となる。
Ｇｂ（ｘ，ｙ）＝Ｇ１（ｘ，ｙ）−μ×Ｇ２（ｘ，ｙ）  （１）
【００５１】
なお、本実施形態においては、例えば特開２０１５−０４３９５９号公報に記載された手法を用いて、第１の放射線画像、第２の放射線画像、軟部画像および骨部画像から、散乱線成分を除去するようにしてもよい。また、第１の放射線画像Ｇ１および第２の放射線画像Ｇ２は、被写体Ｈからの距離が異なるため、散乱線含有率が異なる。このため、第１の放射線画像Ｇ１と第２の放射線画像Ｇ２との散乱線含有率の相違を補正するようにしてもよい。
【００５２】
情報取得部３４は、第１および第２の放射線画像Ｇ１，Ｇ２に含まれる骨部領域の画素毎に、骨部領域における骨塩量を表す骨塩情報を取得する。本実施形態においては、情報取得部３４は、骨部領域の画素値を、基準撮影条件により取得された骨画像の画素値に変換することにより、骨塩情報を取得する。
【００５３】
ここで、Ｘ線源３に印加される管電圧が高く、Ｘ線が高エネルギーであるほど、放射線画像における軟部と骨部とのコントラストが小さくなる。また、Ｘ線が被写体Ｈを透過する過程において、Ｘ線の低エネルギー成分が被写体Ｈに吸収され、Ｘ線が高エネルギー化するビームハードニングが生じる。ビームハードニングによるＸ線の高エネルギー化は、被写体Ｈの体厚が大きいほど大きくなる。図５は体厚に対する骨部と軟部とのコントラストの関係を示す図である。なお、図５においては、８０ｋＶ、９０ｋＶおよび１００ｋＶの３つの管電圧における、体厚に対する骨部と軟部とのコントラストの関係を示している。図５に示すように、管電圧が高い程コントラストは低くなる。また、体厚がある値を超えると、体厚が大きいほどコントラストは低くなる。なお、骨部画像Ｇｂにおける骨部領域の画素値が大きいほど、骨部と軟部とのコントラストは大きくなる。このため、図５に示す関係は、骨部画像Ｇｂにおける骨部領域の画素値が大きいほど、高コントラスト側にシフトすることとなる。
【００５４】
本実施形態においては、基準撮影条件を、例えば管電圧９０ｋＶに設定したルックアップテーブルを用意する。ルックアップテーブルは、撮影時の管電圧に応じたコントラストの相違、およびビームハードニングの影響によるコントラストの低下を補正するための補正係数を取得するためのものとなる。なお、ルックアップテーブルはストレージ２３に記憶されている。図６は補正係数を取得するためのルックアップテーブルを示す図である。図６に示すようにルックアップテーブルＬＵＴ１は、管電圧が大きいほど、かつ体厚が大きいほど、補正係数の値が大きいものとなっている。なお、本実施形態においては、基準撮影条件が管電圧９０ｋＶであるため、管電圧が９０ｋＶで厚さが０の場合に、補正係数が１となっている。また、図６にはルックアップテーブルＬＵＴ１を２次元で示しているが、補正係数は骨部領域の画素値に応じて異なる。このため、ルックアップテーブルＬＵＴ１は、実際には骨部領域の画素値を表す軸が加わった３次元のテーブルとなる。
【００５５】
情報取得部３４は、撮影条件および体厚分布（ｘ，ｙ）に応じた画素毎の補正係数Ｃ０（ｘ，ｙ）をルックアップテーブルＬＵＴ１を参照して取得する。そして、下記の式（２）に示すように、骨部画像Ｇｂにおける骨部領域の各画素（ｘ，ｙ）に対して、補正係数Ｃ０（ｘ，ｙ）を乗算することにより、骨部領域の画素毎に骨塩情報Ｂ０（ｘ，ｙ）を取得する。このように算出された骨塩情報Ｂ０（ｘ，ｙ）は、基準撮影条件である９０ｋＶの管電圧により被写体を撮影することにより取得され、かつビームハードニングの影響が除去された放射線画像に含まれる骨部領域の骨部の画素値を表すものとなる。
Ｂ０（ｘ，ｙ）＝Ｃ０（ｘ，ｙ）×Ｇｂ（ｘ，ｙ）    （２）
【００５６】
なお、被写体Ｈの撮影時においては、第１および第２の放射線検出器５，６に入射する散乱線を除去するための散乱線除去グリッドが使用される場合がある。このため、散乱線除去グリッドの有無に応じたルックアップテーブルを用意しておき、散乱線除去グリッドの有無に応じて補正係数を取得するためのルックアップテーブルを選択するようにしてもよい。また、散乱線除去グリッドの種類に応じたルックアップテーブルを用意しておき、撮影時に使用された散乱線除去グリッドの種類に応じたルックアップテーブルを選択するようにしてもよい。
【００５７】
関連情報生成部３５は、骨塩情報に関連する関連情報を生成する。本実施形態においては、関連情報生成部３５は、第１の放射線画像Ｇ１および第２の放射線画像Ｇ２に対して、相対応する画素間で重み付け減算を行うことにより、各放射線画像Ｇ１，Ｇ２に含まれる被写体Ｈの軟部のみが抽出された軟部画像Ｇｓを生成する。図７は軟部画像Ｇｓを示す図である。そして、軟部画像Ｇｓに骨塩情報Ｂ０（ｘ，ｙ）を重畳した合成画像Ｇｃを関連情報として生成する。
【００５８】
なお、本実施形態においては、骨部画像Ｇｂに対して骨塩情報を重畳して合成画像Ｇｃを生成してもよく、第１または第２の放射線画像Ｇ１，Ｇ２のいずれかに対して骨塩情報Ｂ０（ｘ，ｙ）を重畳して合成画像Ｇｃを生成してもよい。
【００５９】
表示制御部３６は、関連情報を表示部８に表示する。図８は表示部８に表示された関連情報を示す図である。図８に示すように、関連情報は上述した合成画像Ｇｃである。
【００６０】
次いで、本実施形態において行われる処理について説明する。図９は本実施形態において行われる処理を示すフローチャートである。まず、画像取得部３１は、撮影装置１に撮影を行わせてエネルギー分布が互いに異なる第１および第２の放射線画像Ｇ１，Ｇ２を取得する（ステップＳＴ１）。次いで、体厚推定部３２が、第１および第２の放射線画像Ｇ１，Ｇ２のうちの少なくとも１つの画像に基づいて、第１および第２の放射線画像Ｇ１，Ｇ２のうちの少なくとも１つの画像の画素毎に被写体Ｈの体厚を推定する（ステップＳＴ２）。さらに、骨部画素値取得部３３が、第１および第２の放射線画像Ｇ１，Ｇ２から、被写体Ｈの骨部領域の画素値を取得する（ステップＳＴ３）。
【００６１】
続いて、情報取得部３４が、第１および第２の放射線画像Ｇ１，Ｇ２を取得した際の撮影条件、画素毎の体厚および骨部領域の画素値に基づいて、骨部領域の画素毎に骨部領域における骨塩量を表す骨塩情報を取得する（ステップＳＴ４）。さらに、関連情報生成部３５が、骨塩情報に関連する関連情報を生成し（ステップＳＴ５）、表示制御部３６が、関連情報を表示部８に表示し（ステップＳＴ６）、処理を終了する。
【００６２】
このように、本実施形態によれば、第１および第２の放射線画像Ｇ１，Ｇ２のうちの少なくとも１つの画像の画素毎に、被写体Ｈの体厚を推定し、第１および第２の放射線画像Ｇ１，Ｇ２から、被写体Ｈの骨部領域の画素値を取得し、第１および第２の放射線画像Ｇ１，Ｇ２を取得した際の撮影条件、画素毎の体厚および骨部領域の画素値に基づいて、骨部領域の画素毎に骨部領域における骨塩量を表す骨塩情報を取得するようにした。このため、ＤＸＡ法のように専用の装置を使用しなくても、骨塩情報を取得することができる。また、骨部領域の画素毎に骨塩情報が取得されるため、骨の部分毎に骨塩情報を評価することができる。
【００６３】
なお、上記実施形態においては、軟部画像Ｇｓに骨塩情報Ｂ０（ｘ，ｙ）を重畳した合成画像Ｇｃを関連情報として生成しているが、これに限定されるものではない。情報取得部３４が取得した画素毎の骨塩情報そのものを関連情報として表示してもよい。図１０は、表示部８に表示された骨塩情報を示す図である。なお、図１０においては、説明を簡単なものとするために脊柱の一部の椎骨のみを示している。本実施形態においては、骨塩情報は画素毎に算出されているため、骨塩情報を表示することにより、骨塩情報の値に応じた骨塩量の分布を確認することができる。とくに、骨塩情報の値に応じて異なる色をマッピングして表示することにより、骨塩量の分布をより容易に確認することができる。なお、図１０においては、骨塩量の分布をハッチングの相違により示している。
【００６４】
また、関連情報生成部３５において、骨塩情報から骨強度を算出し、算出した骨強度を関連情報として用いてもよい。この際、骨強度は、骨塩情報および骨のテクスチャを表す指標値に基づいて算出できる。なお、テクスチャを表す指標値は、骨を構成する骨梁構造の密集の程度を用いる。このため、関連情報生成部３５は、骨部画像Ｇｂにおける骨部領域の画像の高周波成分を抽出する。高周波成分を抽出する手法としては、フーリエ変換、ウェーブレット変換およびハイパスフィルタを用いる手法等、任意の手法を用いることができる。そして、関連情報生成部３５は、骨部領域の画素毎に高周波成分の分散値を算出する。ここで、骨梁構造の密度が低いほど、算出された高周波成分の分散値は小さくなる。このため、関連情報生成部３５は、骨強度を骨塩情報×分散値の演算により算出する。ここで、骨塩情報および分散値は骨部領域における画素毎に取得されているため、骨強度も画素毎に算出される。
【００６５】
なお、テクスチャを表す指標値としては、同時生起行列等によるテクスチャ特徴量、例えば一様性、コントラスト、相関またはエントロピー等を用いてもよい。ここで、同時生起行列は、画像における画素の信号値の分布を示す行列であり、ある信号値を有する画素に隣接する画素が有する信号値の頻度を行列として表したものである。
【００６６】
図１１は表示部８に表示された骨強度を示す図である。なお、図１１においては、説明を簡単なものとするために脊柱の一部の椎骨のみを示している。本実施形態においては、骨強度は画素毎に算出されているため、骨強度を表示することにより、骨強度の分布を確認することができる。とくに、骨強度に応じて異なる色をマッピングして表示することにより、骨強度の分布をより容易に確認することができる。なお、図１１においては、骨強度の分布をハッチングの相違により示している。
【００６７】
なお、骨強度を表示する際には、軟部画像Ｇｓに対して骨強度を重畳して表示してもよく、骨部画像Ｇｂに対して骨強度を重畳して表示してもよい。また、第１の放射線画像Ｇ１または第２の放射線画像Ｇ２に対して骨強度を重畳して表示してもよい。
【００６８】
また、第１および第２の放射線画像Ｇ１，Ｇ２に複数の骨が含まれる場合、関連情報生成部３５は、骨毎に関連情報を生成してもよい。この場合、関連情報としては、骨毎の骨塩情報の統計値を用いることができる。なお、統計値としては、骨毎の骨塩情報の平均値、中間値、最大値、および最小値等を用いることができる。図１２は表示部８に表示された骨塩情報の統計値を示す図である。なお、図１２においては、説明を簡単なものとするために脊柱の一部の椎骨のみを示している。本実施形態においては、骨塩情報の統計値は骨毎に算出されているため、骨毎の骨塩情報を確認することができる。とくに、骨塩情報の値に応じて異なる色をマッピングして表示することにより、骨毎の骨塩情報をより容易に確認することができる。なお、図１２においては、骨塩情報の統計値の相違をハッチングの相違により示している。
【００６９】
なお、図１２においては骨塩情報の統計値をその大きさに応じた異なる色によりマッピングしているが、図１３に示すように骨塩情報の統計値を数値として表示してもよい。
【００７０】
また、関連情報生成部３５は、１つの骨について骨部領域内の部分領域の関連情報を生成してもよい。この場合、関連情報としては、部分領域の骨塩情報の統計値を用いることができる。なお、統計値としては、部分領域の骨塩情報の平均値、中間値、最大値、および最小値等を用いることができる。図１４は表示部８に表示された部分領域の骨塩情報の統計値を示す図である。なお、図１４においては、説明を簡単なものとするために椎骨の部分領域を海綿骨の領域とし、海綿骨の領域について骨塩情報の統計値を表示している。本実施形態においては、骨塩情報の統計値は骨毎に算出されているため、骨毎の骨塩情報を確認することができる。とくに、骨塩情報の値に応じて異なる色をマッピングして表示することにより、骨毎の骨塩情報をより容易に確認することができる。なお、図１４においては、骨塩情報の統計値の相違をハッチングの相違により示している。
【００７１】
このように、骨部領域内における海綿骨の領域について関連情報を生成することにより、例えば、骨粗鬆症に対する投薬により、海綿骨に存在する骨芽細胞の活性化の程度を確認することができるため、投薬による治療効果の確認を容易に行うことができる。
【００７２】
なお、図１４においては、海綿骨の領域のみ関連情報を生成しているが、図１５に示すように、海綿骨の領域に加えて皮質骨の領域についても骨塩情報の統計値を関連情報として生成し、かつ表示してもよい。
【００７３】
また、図１４および図１５においては、部分領域毎に算出された骨塩情報の統計値をその大きさに応じた異なる色によりマッピングしているが、図１６に示すように骨塩情報の統計値を数値として表示してもよい。また、図１６においては、海綿骨の領域および皮脂骨の領域の双方について統計値の数値を表示しているが、海綿骨の領域のみまたは皮脂骨の領域のみ統計値の数値を表示してもよい。
【００７４】
また、上記では骨部領域を皮質骨の領域および海綿骨の領域に分割しているが、これに限定されるものではない。例えば、図１７に示すように、大腿骨を大腿骨頸部の領域とそれ以外の領域とに分割して、骨塩情報の統計値を関連情報として生成し、かつ表示してもよい。この場合においても、図１６と同様に、骨塩情報の統計値を数値として表示してもよい。
【００７５】
また、第１および第２の放射線画像に複数の骨が含まれる場合、関連情報生成部３５は、骨間の骨塩情報の比較結果を関連情報として生成してもよい。この場合、関連情報生成部３５は、骨毎の骨塩情報の統計値を算出し、ある骨を基準とした骨間における骨塩情報の統計値の差分値または比率を関連情報として生成する。図１８は表示部８に表示された骨間の統計値の比較結果を示す図である。なお、図１８においては、説明を簡単なものとするために脊柱の一部の椎骨のみを示している。また、表示されている椎骨のうち一番上の椎骨を基準とした骨塩情報の統計値の比率の数値を比較結果として示している。このように、骨間の骨塩情報の比較結果を関連情報として生成し、かつ表示することにより、ある骨を基準とした他の骨の骨塩量を認識することができる。
【００７６】
また、関連情報生成部３５は、１つの骨について骨部領域内の部分領域間の骨塩情報の比較結果を関連情報として生成してもよい。この場合、関連情報生成部３５は、骨部領域内の部分領域毎の骨塩情報の統計値を算出し、ある部分領域を基準とした部分領域間の骨塩情報の統計値の差分値または比率を関連情報として生成する。図１９は表示部８に表示された部分領域間の統計値の比較結果を示す図である。なお、図１９においては、説明を簡単なものとするために大腿骨の部分のみを示している。また、表示されている大腿骨のうち大腿骨警部以外の領域を基準とした骨塩情報の比率の数値を比較結果として示している。このように、骨部領域内における部分領域間の骨塩情報の比較結果を関連情報として生成し、かつ表示することにより、１つの骨において、ある部分を基準とした他の部分の骨塩量を認識することができる。
【００７７】
また、関連情報生成部３５は、同一被検体に関して取得日時が異なる骨塩情報間の比較結果を、関連情報として生成するものであってもよい。この場合、関連情報生成部３５は、同一被検体についての、最新の骨塩情報および過去の骨塩情報の統計値を算出する。なお統計値は骨毎に算出してもよいが、放射線画像に含まれる骨の全体の統計値を算出してもよい。そして、関連情報生成部３５は、過去の統計値と最新の投影値との比較結果を関連情報として生成する。比較結果としては過去の統計値に対する最新の投影値の比率または差分値を用いることができる。
【００７８】
図２０は表示部８に表示された骨塩情報の比較結果を示す図である。なお、図２０においては、過去の骨塩情報と最新の骨塩情報との、椎骨のそれぞれについての統計値の比率を比較結果として示している。また、過去の骨塩情報を取得した日時および最新の骨塩情報を取得した日時５０も示している。このように、同一被検体に関して取得日時が異なる放射線画像から取得した骨塩情報の比較結果を関連情報として生成し、かつ表示することにより、被写体Ｈについての病気の進行の程度あるいは投薬による治癒の程度を認識することができる。また、病気の進行の程度あるいは投薬による治癒の程度に基づいて、治療方針を決定することも容易となる。
【００７９】
また、関連情報生成部３５は、骨部領域が椎骨である場合、脊柱のアライメントおよび骨塩情報から生成された骨折リスクを表す情報を、関連情報として生成してもよい。例えば、図２１に示すように側湾症の被写体の場合、関連情報生成部３５は、脊柱のアライメントとしてコブ角αを算出し、コブ角αと骨塩情報とに基づいて骨折リスクを算出する。ここで、コブ角とは、湾曲の頂点になっている椎骨（頂椎）の上と下でそれぞれ最も大きく傾斜した椎骨の外縁から直線を延ばし、その２本の直線の交差する角度である。なお、コブ角αおよび骨塩情報と骨折リスクとの関係はテーブルまたは計算式により定められている。関連情報生成部３５は、テーブルまたは計算式を参照して、コブ角および骨塩情報から骨折リスクを算出する。図２１には算出した骨折リスクが数値（ここでは８０）として示されている。なお、骨折リスクは数値が大きいほど高いものとなる。このように、骨折リスクを関連情報として生成し、かつ表示することにより、骨折のリスクが高い患者に対して骨折の予防策をとるように指導をすることができる。
【００８０】
なお、上記実施形態においては、１ショット法により第１および第２の放射線画像Ｇ１，Ｇ２を取得しているが、撮影を２回行ういわゆる２ショット法により第１および第２の放射線画像Ｇ１，Ｇ２を取得してもよい。この場合、撮影条件としては、第１の放射線画像Ｇ１を取得した際の撮影条件および第２の放射線画像Ｇ２を取得した際の撮影条件のいずれを用いてもよい。また、２ショット法の場合、被写体Ｈの体動により、第１の放射線画像Ｇ１および第２の放射線画像Ｇ２に含まれる被写体Ｈの位置がずれる可能性がある。このため、第１の放射線画像Ｇ１および第２の放射線画像Ｇ２において、被写体の位置合わせを行った上で、本実施形態の処理を行うことが好ましい。位置合わせの処理としては、例えば特開２０１１−２５５０６０号公報に記載された手法を用いることができる。特開２０１１−２５５０６０号公報に記載された手法は、第１および第２の放射線画像Ｇ１，Ｇ２のそれぞれについての、周波数帯域が異なる構造物を表す複数の第１の帯域画像および複数の第２の帯域画像を生成し、対応する周波数帯域の第１の帯域画像および第２の帯域画像における、互いに対応する位置の位置ずれ量を取得し、位置ずれ量に基づいて第１の放射線画像Ｇ１と第２の放射線画像Ｇ２との位置合わせを行うようにしたものである。
【００８１】
また、上記実施形態においては、各種関連情報の表示について説明したが、互いに異なる複数の関連情報を同時に表示部８に表示してもよいことはもちろんである。
【００８２】
また、上記実施形態においては、第１および第２の放射線検出器５，６を用いて被写体の放射線画像を撮影するシステムにおいて取得した放射線画像を用いて画像処理を行っているが、検出部として蓄積性蛍光体シートを用いて第１および第２の放射線画像Ｇ１，Ｇ２を取得する場合にも、本開示を適用できることはもちろんである。この場合、２枚の蓄積性蛍光体シートを重ねて被写体Ｈを透過したＸ線を照射して、被写体Ｈの放射線画像情報を各蓄積性蛍光体シートに蓄積記録し、各蓄積性蛍光体シートから放射線画像情報を光電的に読み取ることにより第１および第２の放射線画像Ｇ１，Ｇ２を取得すればよい。
【符号の説明】
【００８３】
１    放射線画像撮影装置
２    コンピュータ
３    Ｘ線源
５、６    放射線検出器
７    Ｘ線エネルギー変換フィルタ
８    表示部
９    入力部
２１    ＣＰＵ
２２    メモリ
２３    ストレージ
３１    画像取得部
３２    体厚推定部
３３    骨部画素値取得部
３４    情報取得部
３５    関連情報生成部
３６    表示制御部
４１    仮想モデル取得部
４２    推定画像生成部
４３    修正部
４４    体厚分布決定部
５０    日時
Ｇ１    第１の放射線画像
Ｇ２    第２の放射線画像
Ｇｂ    骨部画像
Ｇｓ    軟部画像
Ｇｃ    合成画像
Ｈ    被写体
α    コブ角
【図１】
2019202035.tif 000003
【図２】
2019202035.tif 000004
【図３】
2019202035.tif 000005
【図４】
2019202035.tif 000006
【図５】
2019202035.tif 000007
【図６】
2019202035.tif 000008
【図７】
2019202035.tif 000009
【図８】
2019202035.tif 000010
【図９】
2019202035.tif 000011
【図１０】
2019202035.tif 000012
【図１１】
2019202035.tif 000013
【図１２】
2019202035.tif 000014
【図１３】
2019202035.tif 000015
【図１４】
2019202035.tif 000016
【図１５】
2019202035.tif 000017
【図１６】
2019202035.tif 000018
【図１７】
2019202035.tif 000019
【図１８】
2019202035.tif 000020
【図１９】
2019202035.tif 000021
【図２０】
2019202035.tif 000022
【図２１】
2019202035.tif 000023